(57)【特許請求の範囲】
【請求項１】
複数種類の機能各々に対応する処理を、当該処理に対応して設定された複数の設定値に従って実行する処理実行手段と、
前記複数種類の機能別に系統付けられ、複数の階層のいずれかに配置された複数の操作画面であって、前記複数種類の機能各々に対応する処理に対応する複数の設定値を設定するための複数の操作画面のいずれか１つを表示する表示制御手段と、
前記表示された操作画面に従ってユーザーによって入力される設定値を設定する設定手段と、
ユーザーの操作に基づいて、前記複数の操作画面のいずれか１つを基準画面として抽出する検索手段と、を備え、
前記表示制御手段は、前記複数の操作画面のうち系統が同じ１以上の操作画面を上位の階層から順に表示する順次表示手段と、
前記検索手段により抽出された基準画面が属する系統と同じ系統で上位の階層の１以上の操作画面のうちから、前記基準画面で設定される設定値と所定の関係にある設定値を設定するための１以上の操作画面を抽出する操作画面抽出手段と、
前記抽出された１以上の操作画面を、上位の階層の操作画面から順に表示する間欠表示手段と、を含む画像処理装置。
【請求項２】
前記操作画面抽出手段は、前記処理実行手段が前記基準画面が属する系統の機能に対応する処理を実行するために用いる複数の設定値のうち、前記基準画面で設定される設定値に対して予め定められていない設定値を設定するための操作画面を抽出し、
前記設定手段は、前記基準画面で設定される設定値に対して予め定められた設定値を設定する、請求項１に記載の画像処理装置。
【請求項３】
前記検索手段は、前記複数の操作画面をそれぞれ説明するための複数の画面説明画面のうち１つを表示する機能説明画面表示手段を含み、前記機能説明画面表示手段により表示された画面説明画面に対応する操作画面を基準画面として抽出する、請求項１または２に記載の画像処理装置。
【請求項４】
前記検索手段は、キーワードを用いて前記複数の操作画面のうちから１つを基準画面として抽出する画面検索手段を、含む請求項１〜３のいずれかに記んさ載の画像処理装置。
【請求項５】
複数種類の機能各々に対応する処理を、当該処理に対応して設定された複数の設定値に従って実行する画像処理装置で実行される操作画面表示方法であって、
前記複数種類の機能別に系統付けられ、複数の階層のいずれかに配置された複数の操作画面であって、前記複数種類の機能各々に対応する処理に対応する複数の設定値を設定するための複数の操作画面のいずれか１つを表示する表示制御ステップと、
前記表示された操作画面に従ってユーザーによって入力される設定値を設定する設定ステップと、
ユーザーの操作に基づいて、前記複数の操作画面のいずれか１つを基準画面として抽出する検索ステップと、を含み、
前記表示制御ステップは、前記複数の操作画面のうち系統が同じ１以上の操作画面を上位の階層から順に表示する順次表示ステップと、
前記検索ステップにおいて抽出された基準画面が属する系統と同じ系統で上位の階層の１以上の操作画面のうちから、前記基準画面で設定される設定値と所定の関係にある設定値を設定するための操作画面を抽出する操作画面抽出ステップと、
前記抽出された１以上の操作画面を、上位の階層の操作画面から順に表示する間欠表示ステップと、を含む操作画面表示方法。
【請求項６】
複数種類の機能各々に対応する処理を、当該処理に対応して設定された複数の設定値に従って実行する画像処理装置を制御するコンピューターで実行される操作画面表示プログラムであって、
前記複数種類の機能別に系統付けられ、複数の階層のいずれかに配置された複数の操作画面であって、前記複数種類の機能各々に対応する処理に対応する複数の設定値を設定するための複数の操作画面のいずれか１つを表示する表示制御ステップと、
前記表示された操作画面に従ってユーザーによって入力される設定値を設定する設定ステップと、
ユーザーの操作に基づいて、前記複数の操作画面のいずれか１つを基準画面として抽出する検索ステップと、を前記コンピューターに実行させ、
前記表示制御ステップは、前記複数の操作画面のうち系統が同じ１以上の操作画面を上位の階層から順に表示する順次表示ステップと、
前記検索ステップにおいて抽出された基準画面が属する系統と同じ系統で上位の階層の１以上の操作画面のうちから、前記基準画面で設定される設定値と所定の関係にある設定値を設定するための操作画面を抽出する操作画面抽出ステップと、
前記抽出された１以上の操作画面を、上位の階層の操作画面から順に表示する間欠表示ステップと、を含む操作画面表示プログラム。
【発明の詳細な説明】
【技術分野】
【０００１】
この発明は、画像処理装置、操作画面表示方法および操作画面表示プログラムに関し、特に階層構造で関連付けられた複数の操作画面を順に表示する画像処理装置、その画像処理装置で実行される操作画面表示方法および操作画面表示プログラムに関する。
【背景技術】
【０００２】
ＭＦＰ（Ｍｕｌｔｉ  Ｆｕｎｃｔｉｏｎ  Ｐｅｒｉｐｈｅｒａｌ）と呼ばれる複合機で代表される画像処理装置は、多種類の機能を有し、複数の機能各々を実行させるために設定値を設定する必要がある。ユーザーがＭＦＰに設定値を設定する操作を容易にするために、複数の設定画面を階層化しておき、上位の階層から下位の階層に順に表示する技術が知られている。例えば、特開２００７−２０７１８６号公報には、操作メニューの表示が階層化され、上位階層の操作メニュー画面において、任意の項目の選択操作を行うと、その選択項目に対応する下位階層の操作メニュー画面に遷移させ、各階層の操作メニュー画面において、順次、所望の項目の選択操作を繰り返すことにより、目的とする機能を実行させるための最下層の機能操作画面の表示を行う操作システムであって、少なくとも１つの上位階層の操作メニュー画面の各項目について、それぞれの項目を経て最も新しく表示された最下層の機能操作画面との関連付けを記憶する記憶手段と、前記少なくとも１つの上位階層の操作メニュー画面において、一つの項目を指定しつつ、操作メニュー画面の表示をスキップすることを指示するスキップ指示操作手段と、前記スキップ指示操作手段による指示がなされた場合、前記記憶手段に記憶された関連付けに基づいて、前記上位階層の操作メニュー画面から、スキップ指示操作手段によって指定された項目を経て最も新しく表示された最下層の機能操作画面へと向けて、少なくとも１つの操作メニュー画面の表示をスキップさせる表示制御手段とを備えることを特徴とする操作システムが記載されている。
【０００３】
しかしながら、特開２００７−２０７１８６号公報に記載の操作システムにおいては、最も新しく表示された最下層の機能操作画面との関連付けを記憶しておかなければならない。このため、最下層の機能操作画面が一度も表示されていない場合にはスキップすることができないといった問題がある。また、スキップして表示させることができる最下層の機能操作画面は、最後に表示された１つしかないといった問題がある。
【特許文献１】特開２００７−２０７１８６号公報
【発明の概要】
【発明が解決しようとする課題】
【０００４】
この発明は上述した問題点を解決するためになされたもので、この発明の目的の一つは、ユーザーによる操作を簡略した画像処理装置を提供することである。
【０００５】
この発明の他の目的は、ユーザーによる操作を簡略した画像処理方法を提供することである。
【０００６】
この発明の他の目的は、ユーザーによる操作を簡略した画像処理プログラムを提供することである。
【課題を解決するための手段】
【０００７】
上述した目的を達成するためにこの発明のある局面によれば、画像処理装置は、複数種類の機能各々に対応する処理を、当該処理に対応して設定された複数の設定値に従って実行する処理実行手段と、複数種類の機能別に系統付けられ、複数の階層のいずれかに配置された複数の操作画面であって、複数種類の機能各々に対応する処理に対応する複数の設定値を設定するための複数の操作画面のいずれか１つを表示する表示制御手段と、表示された操作画面に従ってユーザーによって入力される設定値を設定する設定手段と、ユーザーの操作に基づいて、複数の操作画面のいずれか１つを基準画面として抽出する検索手段と、を備え、表示制御手段は、複数の操作画面のうち系統が同じ１以上の操作画面を上位の階層から順に表示する順次表示手段と、検索手段により抽出された基準画面が属する系統と同じ系統で上位の階層の１以上の操作画面のうちから、基準画面で設定される設定値と所定の関係にある設定値を設定するための１以上の操作画面を抽出する操作画面抽出手段と、抽出された１以上の操作画面を、上位の階層の操作画面から順に表示する間欠表示手段と、を含む。
【０００８】
この局面に従えば、ユーザーの操作に基づいて、複数の操作画面のいずれか１つが基準画面として抽出されると、基準画面が属する系統と同じ系統で上位の階層の１以上の操作画面のうちから、基準画面で設定される設定値と所定の関係にある設定値を設定するための操作画面が抽出され、抽出された１以上の操作画面が上位の階層の操作画面から順に表示される。このため、ユーザーが指定した操作画面で設定される設定値と所定の関係にある設定値を設定するための操作画面のみが表示され、ユーザーが指定した操作画面で設定される設定値と所定の関係にない設定値を設定するための操作画面は表示されない。このため、表示する操作画面の数を少なくすることができる。その結果、ユーザーによる操作を簡略した画像処理装置を提供することができる。
【０００９】
好ましくは、操作画面抽出手段は、処理実行手段が基準画面が属する系統の機能に対応する処理を実行するために用いる複数の設定値のうち、基準画面で設定される設定値に対して予め定められていない設定値を設定するための操作画面を抽出し、設定手段は、基準画面で設定される設定値に対して予め定められた設定値を設定する。
【００１０】
この局面に従えば、基準画面が属する系統の機能に対応する処理を実行するために用いる複数の設定値のうち、基準画面で設定される設定値に対して予め定められていない設定値を設定するための操作画面を抽出し、基準画面で設定される設定値に対して予め定められた設定値が設定される。このため、基準画面を指定する操作によって、基準画面で設定される設定値に対して予め定められた設定値が設定されるので、ユーザーはその設定値を設定する操作をする必要がない。
【００１１】
好ましくは、検索手段は、複数の操作画面をそれぞれ説明するための複数の画面説明画面のうち１つを表示する機能説明画面表示手段を含み、機能説明画面表示手段により表示された画面説明画面に対応する操作画面を基準画面として抽出する。
【００１２】
この局面に従えば、複数の操作画面をそれぞれ説明するための複数の画面説明画面のうち１つが表示され、表示された画面説明画面に対応する操作画面が基準画面に抽出される。このため、複数の操作画面のうち下位の階層の操作画面を基準画面に指定することができる。
【００１３】
好ましくは、検索手段は、キーワードを用いて複数の操作画面のうちから１つを基準画面として抽出する画面検索手段を、含む。
【００１４】
この局面に従えば、ユーザーは、キーワードを用いて複数の操作画面のうちから１つを基準画面に指定することができる。
【００１５】
この発明の他の局面によれば、操作画面表示方法は、複数種類の機能各々に対応する処理を、当該処理に対応して設定された複数の設定値に従って実行する画像処理装置で実行される操作画面表示方法であって、複数種類の機能別に系統付けられ、複数の階層のいずれかに配置された複数の操作画面であって、複数種類の機能各々に対応する処理に対応する複数の設定値を設定するための複数の操作画面のいずれか１つを表示する表示制御ステップと、表示された操作画面に従ってユーザーによって入力される設定値を設定する設定ステップと、ユーザーの操作に基づいて、複数の操作画面のいずれか１つを基準画面として抽出する検索ステップと、を含み、表示制御ステップは、複数の操作画面のうち系統が同じ１以上の操作画面を上位の階層から順に表示する順次表示ステップと、検索ステップにおいて抽出された基準画面が属する系統と同じ系統で上位の階層の１以上の操作画面のうちから、基準画面で設定される設定値と所定の関係にある設定値を設定するための操作画面を抽出する操作画面抽出ステップと、抽出された１以上の操作画面を、上位の階層の操作画面から順に表示する間欠表示ステップと、を含む。
【００１６】
この局面に従えば、ユーザーによる操作を簡略した操作画面表示方法を提供することができる。
【００１７】
この発明の他の局面によれば、操作画面表示プログラムは、複数種類の機能各々に対応する処理を、当該処理に対応して設定された複数の設定値に従って実行する画像処理装置を制御するコンピューターで実行される操作画面表示プログラムであって、複数種類の機能別に系統付けられ、複数の階層のいずれかに配置された複数の操作画面であって、複数種類の機能各々に対応する処理に対応する複数の設定値を設定するための複数の操作画面のいずれか１つを表示する表示制御ステップと、表示された操作画面に従ってユーザーによって入力される設定値を設定する設定ステップと、ユーザーの操作に基づいて、複数の操作画面のいずれか１つを基準画面として抽出する検索ステップと、をコンピューターに実行させ、表示制御ステップは、複数の操作画面のうち系統が同じ１以上の操作画面を上位の階層から順に表示する順次表示ステップと、検索ステップにおいて抽出された基準画面が属する系統と同じ系統で上位の階層の１以上の操作画面のうちから、基準画面で設定される設定値と所定の関係にある設定値を設定するための操作画面を抽出する操作画面抽出ステップと、抽出された１以上の操作画面を、上位の階層の操作画面から順に表示する間欠表示ステップと、を含む。
【００１８】
この局面に従えば、ユーザーによる操作を簡略した操作画面表示プログラムを提供することができる。
【図面の簡単な説明】
【００１９】
【図１】ＭＦＰの外観を示す斜視図である。
【図２】ＭＦＰのハードウエア構成の概要を示すブロック図である。
【図３】操作パネルの一例を示す平面図である。
【図４】ファイル形式設定画面の一例を示す図である。
【図５】暗号化設定画面の一例を示す図である。
【図６】パスワード設定画面の一例を示す図である。
【図７】暗号化パスワード設定画面の一例を示す図である。
【図８】文書権限パスワード設定画面の一例を示す図である。
【図９】変更許可レベル設定画面の一例を示す図である。
【図１０】ファイル形式設定画面に対応するヘルプ画面の一例を示す図である。
【図１１】暗号化のヘルプ画面の一例を示す図である。
【図１２】ＭＦＰが備えるＣＰＵが有する機能の一例を示すブロック図である。
【図１３】操作画面表示処理の流れの一例を示すフローチャートである。
【図１４】間欠表示処理の流れの一例を示すフローチャートである。
【発明を実施するための形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
図１は、ＭＦＰの外観を示す斜視図である。図２は、ＭＦＰのハードウエア構成の概要を示すブロック図である。図１および図２を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００２２】
後処理部１５５は、画像形成部１４０により画像が形成された１以上の用紙を並び替えて排紙するソート処理、パンチ穴加工するパンチ処理、ステープル針を打ち込むステープル処理を実行する。
【００２３】
メイン回路１１０は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、大容量記憶装置としてのハードディスクドライブ（ＨＤＤ）１１５と、ファクシミリ部１１６と、ＣＤ（Ｃｏｍｐａｃｔ  Ｄｉｓｋ）−ＲＯＭ１１８が装着される外部記憶装置１１７と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００２４】
ＲＯＭ１１３は、ＣＰＵ１１１が実行する制御プログラム、またはその制御プログラムを実行するために必要なデータを記憶する。ＲＡＭ１１４は、ＣＰＵ１１１がプログラムを実行する際の作業領域として用いられる。さらに、ＲＡＭ１１４は，原稿読取部１３０から連続的に送られてくる読取データ（画像データ）を一時的に記憶する。
【００２５】
通信Ｉ／Ｆ部１１２は、ＭＦＰ１００をネットワークに接続し、ＭＦＰ１００を外部の装置と接続するためのインターフェースである。ＣＰＵ１１１は、通信Ｉ／Ｆ部１１２を介して接続されたコンピューターとの間で通信し、データを送受信する。また、通信Ｉ／Ｆ部１１２は、インターネットに接続される場合、インターネットに接続されたコンピューターと通信が可能である。
【００２６】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００２７】
外部記憶装置１１７は、ＣＤ−ＲＯＭ（Ｃｏｍｐａｃｔ  ＤｉＳｋ  ＲＯＭ）１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００２８】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワークに接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワークに接続された他のコンピューターからプログラムをダウンロードして、そのプログラムをＨＤＤ１１５に記憶するようにしてもよい。ここでいうプログラムは、制御プログラム、それに含まれる画面生成プログラムを含み、ＣＰＵ１１１が直接実行可能なプログラムだけでなく、ソースプログラム、圧縮処理されたプログラム、暗号化されたプログラムを含む。
【００２９】
図３は、操作パネルの一例を示す平面図である。図３を参照して、操作パネル１６０は、表示部１６１と操作部１６３とを含む。なお、図中の点線は、後述するハードキー部１６７を示すために付したもので、実際には存在しない。表示部１６１は、ＬＣＤ、有機ＥＬＤ（Ｅｌｅｃｔｒｏ−Ｌｕｍｉｎｅｓｃｅｎｃｅ  Ｄｉｓｐｌａｙ）等のディスプレイであり、ユーザーに対する指示メニューや取得した画像データに関する情報等を表示する。
【００３０】
操作部１６３は、タッチパネル１６５と、ハードキー部１６７とを含む。タッチパネル１６５は、表示部１６１の上面または下面に表示部１６１に重畳して設けられる。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーが指で操作部１６３を容易に指示することができるようにするためである。
【００３１】
ハードキー部１６７は、複数のハードキーを含む。複数のハードキーは、例えば接点スイッチである。複数のハードキーは、テンキー１６７Ａと、スタートキー１６７Ｂと、遷移キー１６８Ａ〜１６８Ｅと、を含む。遷移キー１６８Ａは、ヘルプ画面を表示させる操作を受け付けるハードキーである。以下遷移キー１６８Ａをヘルプキー１６８Ａという。遷移キー１６８Ｂは、機能を検索するための機能検索画面を表示させる操作を受け付けるハードキーである。以下、遷移キー１６８Ｂを検索キー１６８Ｂという。遷移キー１６８Ｃは、コピー処理を実行するためのコピーモードにＭＦＰ１００を遷移させるためのハードキーである。遷移キー１６８Ｄは、ファクシミリ処理またはスキャン処理を実行するためのファクシミリモードまたはスキャンモードにＭＦＰ１００を遷移させるためのハードキーである。遷移キー１６８Ｅは、ＨＤＤ１１６に記憶されているデータを処理対象に指定する処理を実行するためのボックスモードにＭＦＰ１００を遷移させるためのハードキーである。
【００３２】
本実施の形態におけるＭＦＰ１００は、ＨＤＤ１１６に、複数の操作画面と複数のヘルプ画面を記憶する。ここで、操作画面とヘルプ画面について説明する。複数の操作画面は、ＭＦＰ１００が有する複数種類の機能別に系統付けられた、複数の階層のいずれかに配置される。複数の設定画面は、ＭＦＰ１００が有する複数種類の機能各々に対応する設定値を設定するための画面である。例えば、ＭＦＰ１００が、原稿を読み取って画像データを生成するスキャン機能がある。このスキャン機能は、原稿を読み取る読取機能と、画像データを生成する画像データ生成機能が含まれる。画像データ生成機能を、ＭＦＰ１００が実行するための設定値としてファイル形式がある。ファイル形式の設定値にＰＤＦ（Ｐｏｒｔａｂｌｅ  Ｄｏｃｕｍｅｎｔ  Ｆｏｒｍａｔ）のフォーマットを設定される場合には、読出し権限を与えるための設定値として暗号化パスワード、文書の変更権限を与えるための設定値として文書権限パスワードがある。さらに文書権限パスワードが定められる場合には、文書変更を許可するレベルを定める設定値として変更許可レベルがある。この例の場合、最も高い第１階層にファイル形式の設定値を設定するための操作画面としてファイル形式設定画面が配置される。さらに、ファイル形式設定画面に関連付けられ、第１階層より下位の第２階層に、パスワードの設定の有無を設定するための操作画面として暗号化設定画面が配置される。さらに、暗号化設定画面に関連付けられ、第２階層より下位の第３階層に、パスワードを設定するための設定画面としてパスワード設定画面が配置される。さらに、パスワード設定画面に関連付けられ、第３階層より下位の第４階層に、暗号化パスワードを設定するための操作画面として暗号化パスワード設定画面、文書権限パスワードを設定するための操作画面として文書権限パスワード設定画面が配置される。さらに、文書権限パスワード設定画面に関連付けられ、第４階層より下位の第５階層に、変更許可レベルを設定するための操作画面として変更許可レベル設定画面が配置される。
【００３３】
図４は、ファイル形式設定画面の一例を示す図である。図４を参照して、ファイル形式設定画面４１０は、設定ボタン４１１〜４１６と、遷移ボタン４１７と、を含む。設定ボタン４１１〜４１６は、ファイル形式に対応する設定値に、ＰＤＦのフォーマットを示す「ＰＤＦ」、ＴＩＦＦ（Ｔａｇｇｅｄ  Ｉｍａｇｅ  Ｆｉｌｅ  Ｆｏｒｍａｔ）のフォーマットを示す「ＴＩＦＦ」、ＸＰＳ（Ｅｘｔｅｎｓｉｂｌｅ  Ｍａｒｋｕｐ  Ｌａｎｇｕａｇｅ  Ｐａｐｅｒ  Ｓｐｅｃｉｆｉｃａｔｉｏｎ）のフォーマットを示す「ＸＰＳ」、コンパクトＰＤＦのフォーマットを示す「コンパクトＰＤＦ」、ＪＰＥＧ（Ｊｏｉｎｔ  Ｐｈｏｔｏｇｒａｐｈｉｃ  Ｅｘｐｅｒｔｓ  Ｇｒｏｕｐ）のフォーマットを示す「ＪＰＥＧ」およびコンパクトＸＰＳのフォーマットを示す「コンパクトＸＰＳ」をそれぞれ設定するためのボタンである。設定ボタン４１１または設定ボタン４１４が選択される場合には、ファイル形式にＰＤＦまたはコンパクトＰＤＦの設定値が設定され、パスワードの設定が可能となる。
【００３４】
遷移ボタン４１７は、設定ボタン４１１または設定ボタン４１４が選択されて、ファイル形式にＰＤＦまたはコンパクトＰＤＦが設定される場合に、ユーザーが指示可能になる遷移ボタンである。遷移ボタン４１７は、ファイル形式設定画面の下位の階層の暗号化設定画面と関連付けられており、遷移ボタン４１７がユーザーにより指示されると、暗号化設定画面が表示される。
【００３５】
図５は、暗号化設定画面の一例を示す図である。図５を参照して、暗号化設定画面４２０は、暗号化設定の設定値を「有」に設定するための設定ボタン４２１と、暗号化設定の設定値を「無」に設定するための設定ボタン４２２とを含む。設定ボタン４２１は、遷移ボタンを兼ねており、暗号化設定画面の下位の階層のパスワード設定画面と関連付けられており、設定ボタン４２１がユーザーにより指示されると、パスワード設定画面が表示される。
【００３６】
図６は、パスワード設定画面の一例を示す図である。図６を参照して、パスワード設定画面４３０は、暗号化パスワードの設定値を入力するための領域４３１と、文書権限パスワードの設定値を入力するための領域４３２と、遷移ボタン４３３と、を含む。領域４３１および領域４３２は、遷移ボタンを兼ねている。領域４３１は、パスワード設定画面より下位の階層の暗号化パスワード入力画面と関連付けられており、領域４３１がユーザーにより指示されると暗号化パスワード入力画面が表示される。領域４３２は、パスワード設定画面より下位の階層の文書権限パスワード入力画面と関連付けられており、領域４３２がユーザーにより指示されると文書権限パスワード入力画面が表示される。
【００３７】
遷移ボタン４３３は、領域４３２に文書権限パスワードが入力される場合に選択可能になる。遷移ボタン４３３は、パスワード設定画面より下位の階層の変更許可レベル設定画面と関連付けられており、領域４３３がユーザーにより指示されると変更許可レベル設定画面が表示される。
【００３８】
図７は、暗号化パスワード設定画面の一例を示す図である。図７を参照して、暗号化パスワード設定画面４４０は、暗号化パスワードを表示する領域４４１と、ソフトキーボード４４２と、遷移ボタン４４３と、を含む。ソフトキーボード４４２は、英数のキーを有し、英文字または数字の選択が可能である。ユーザーがソフトキーボード４４２の英文字または数字を選択すると、選択された英文字または数字が暗号化パスワードとして受け付けられ、領域４４１に表示される。遷移ボタン４４３は、暗号化パスワード設定画面より上位の階層の図６に示したパスワード設定が関連付けられており、遷移ボタン４４３がユーザーにより指示されると図６に示したパスワード設定画面が表示される。
【００３９】
図８は、文書権限パスワード設定画面の一例を示す図である。図８を参照して、文書権限パスワード設定画面４５０は、文書権限パスワードを表示する領域４５１と、ソフトキーボード４５２と、遷移ボタン４５３と、を含む。ソフトキーボード４５２は、英数のキーを有し、英文字または数字の選択が可能である。ユーザーがソフトキーボード４５２の英文字または数字を選択すると、選択された英文字または数字が文書権限パスワードとして受け付けられ、領域４５１に表示される。遷移ボタン４５３は文書権限パスワード設定画面より下位の階層の変更許可レベル設定画面と関連付けられており、遷移ボタン４５３がユーザーにより指示されると変更許可レベル設定画面が表示される。
【００４０】
図９は、変更許可レベル設定画面の一例を示す図である。図９を参照して、変更許可レベル設定画面４６０は、変更許可レベルの設定値を設定するための設定ボタン４６１〜４６５と、遷移ボタン４６６とを含む。設定ボタン４６１〜４６５のいずれかがユーザーにより指示されると、変更許可レベルが「レベル１」、「レベル２」、「レベル３」、「レベル４」、「レベル５」にそれぞれ設定される。遷移ボタン４６６は、変更許可レベル設定画面より上位の階層の図６に示したパスワード設定画面と関連付けられており、遷移ボタン４６６がユーザーにより指示されると図６に示したパスワード設定が表示される。
【００４１】
図１０は、ファイル形式設定画面に対応するヘルプ画面の一例を示す図である。図１０を参照して、ヘルプ画面５１０は、図４に示したファイル形式設定画面４１０の説明と、切換ボタン５１１と、遷移ボタン５１２と、を含む。切換ボタン５１１は、図４に示したファイル形式設定画面に関連付けられており、切換ボタン５１１がユーザーにより指示されると、図４に示したファイル形式設定画面が表示部１６１に表示される。
【００４２】
遷移ボタン５１２は、ヘルプ画面５１０よりも階層が下位の暗号化のヘルプ画面と関連付けられている。遷移ボタン５１２がユーザーにより指示されると、暗号化のヘルプ画面が表示部１６１に表示される。
【００４３】
図１１は、暗号化のヘルプ画面の一例を示す図である。図１１を参照して、暗号化のヘルプ画面５２０は、図５に示した暗号化設定画面４２０、図７に示した暗号化パスワード設定画面４４０、図８に示した文書権限パスワード設定画面４５０および図９に示した変更許可レベル設定画面４６０に関連する。
【００４４】
ヘルプ画面５２０は、暗号化設定を説明する文書を含む領域５２５、暗号化パスワードを説明する文書を含む領域５２６、文書権限パスワードを説明する文書を含む領域５２７、変更許可レベルを説明する文書を含む領域５２８と、を含む。さらに、ヘルプ画面５２０は、領域５２５〜５２８の右側にそれぞれ配置された切換ボタン５２１〜５２４を含む。切換ボタン５２１〜５２４は、領域５２５〜５２８にそれぞれ関連付けられる。
【００４５】
切換ボタン５２１は、暗号化設定画面４２０と関連付けられ、切換ボタン５２１がユーザーにより指示されると、暗号化設定画面４２０が表示部１６１に表示される。切換ボタン５２２は暗号化パスワード設定画面４４０と関連付けられ、切換ボタン５２２がユーザーにより指示されると、暗号化パスワード設定画面４４０が表示部１６１に表示される。切換ボタン５２３は文書権限パスワード設定画面４５０と関連付けられ、切換ボタン５２３がユーザーにより指示されると、文書権限パスワード設定画面４５０が表示部１６１に表示される。切換ボタン５２４は変更許可レベル設定画面４６０と関連付けられ、切換ボタン５２４がユーザーにより指示されると、変更許可レベル設定画面４６０が表示部１６１に表示される。
【００４６】
図１２は、ＭＦＰが備えるＣＰＵが有する機能の一例を示すブロック図である。図１２に示す機能は、ＭＦＰ１００が備えるＣＰＵ１１１がＲＯＭ１１３、ＨＤＤ１１６またはＣＤ−ＲＯＭ１１９Ａに記憶された操作画面表示プログラムプログラムを実行することによりＣＰＵ１１１に形成される。図１２を参照して、ＣＰＵ１１１は、操作受付部５１と、処理実行部５３と、設定部５５と、表示部１６１を制御する表示制御部５７と、検索部５９と、を含む。
【００４７】
操作受付部５１は、ユーザーが操作部１６３に入力する操作を受け付ける。操作受付部５１は、受け付けた操作を処理実行部５３、設定部５５、表示制御部５７および検索部５９に出力する。操作受付部１５１が受け付ける操作は、操作画面を別の操作画面に遷移させるための画面遷移操作と、設定値の入力を受け付ける設定値受付操作と、処理の実行を指示する実行指示操作と、を含む。画面遷移操作は、設定画面に含まれる遷移ボタンまたは操作部１６３が備えるハードキー部１６７に含まれる遷移キー１６８Ａ〜１６８Ｅのいずれかが指示されることにより受け付けられ、遷移後の操作画面を識別するための情報を含む。設定値受付操作は、操作画面に含まれるソフトキーボードまたは設定キーが指示されることにより、また、ハードキー部１６７に含まれるテンキー１６７Ａが指示されることにより受け付けられ、設定値を含む。実行指示操作は、処理の実行を指示する操作であり、ハードキー部１６７に含まれるスタートキー１６７Ｂが指示されることにより受け付けられる。
【００４８】
設定部５５は、操作受付部５１から入力される操作が、設定値を設定する設定操作の場合、設定操作により特定される設定値を設定する。設定部５５は、設定操作により特定される設定値で、ＲＡＭ１１４に記憶された設定値を更新する。
【００４９】
処理実行部５３は、複数種類の機能各々に対応する処理を実行可能である。複数種類の機能は、限定するものではないが、例えば、原稿を読み取り、読み取られた画像を用紙に形成するコピー処理、画像データをファクシミリで送信するファクシミリ送信処理、原稿を読み取り、読み取られた画像のデータを生成するスキャン処理、ＨＤＤ１１６にデータを記憶、またはＨＤＤに記憶されたデータを管理するボックス処理を含む。
【００５０】
処理実行部５３は、操作受付部５１から入力される操作が実行指示操作の場合、その時点でＭＦＰ１００が設定されているモードにより特定される機能に対応する処理を、その処理に対して設定された複数の設定値に従って実行する。例えば、ＭＦＰ１００がコピーモードに設定されている場合、ＲＡＭ１１４に記憶された設定値のうちコピー処理に対応する複数の設定値に従って、コピー処理を実行する。コピー処理に対応する複数の設定値は、原稿を読み取るための設定値として例えば解像度、読取サイズ等を含み、用紙に画像を形成するための設定値として例えば、用紙サイズ、カラー・モノクロの別、レイアウト等を含む。ＭＦＰ１００がスキャンモードに設定されている場合、ＲＡＭ１１４に記憶された設定値のうちスキャン処理に対応する複数の設定値に従って、スキャン処理を実行する。スキャン処理に対応する複数の設定値は、原稿を読み取るための設定値として例えば解像度、読取サイズ等を含み、画像データを生成するための設定値として、ファイル種類、暗号化の有無、暗号化パスワード、文書権限パスワード、文書変更レベルを含む。ＭＦＰ１００がファクシミリモードに設定されている場合、ＲＡＭ１１４に記憶された設定値のうちファクシミリ送信処理に対応する複数の設定値に従って、ファクシミリ送信処理を実行する。ファクシミリ送信処理に対応する複数の設定値は、原稿を読み取るための設定値として例えば解像度、読取サイズ等を含み、画像データを送信するための設定値として、ファクシミリ番号を含む。ＭＦＰ１００がボックスモードに設定されている場合、ＲＡＭ１１４に記憶された設定値のうちボックス管理処理に対応する複数の設定値に従って、ボックス管理処理を実行する。ボックス管理処理に対応する複数の設定値は、ＨＤＤ１１５に記憶されたデータを特定するためのファイル名、データに対する処理を特定する情報、そのデータに対する処理を実行するための設定値を含む。データに対する処理は、例えば、データの削除、データの外部への送信処理を含む。さらに、データの外部への送信処理を実行するための設定値として、データの送信先を特定する情報を含む。
【００５１】
検索部５９は、複数の操作画面のうちから１つを抽出し、抽出された操作画面を、表示制御部５７に出力する。検索部５９は、機能説明部７１と、機能検索部７３と、を含む。
【００５２】
機能説明部７１は、操作受付部５１から入力される操作が、ヘルプキー１６８Ａが指示されたことを示す画面遷移操作の場合、機能の説明を記述したヘルプ画面を表示部１６１に表示する。ヘルプ画面は、その時点でＭＦＰ１００に表示されている操作画面を説明する記述を含む。操作画面は、ＭＦＰ１００が有する複数種類の機能別に系統付けられた、複数の階層のいずれかに配置される。ヘルプ画面は、複数の操作画面の１以上のいずれかに対応し、複数の階層のいずれかに配置される。ヘルプ画面は、遷移ボタンを有し、下位の階層のヘルプ画面に関連付けられている。このため、機能説明部７１は、ヘルプキー１６８Ａが指示されたことを示す画面遷移操作が入力されることに応じて、その時点で表示部１６１に表示されている操作画面に対応するヘルプ画面を表示部１６１にした後、そのヘルプ画面中の画面遷移ボタンが指示されると、その画面遷移ボタンによって特定される下位の階層のヘルプ画面を表示部１６１に表示する。
【００５３】
さらに、ヘルプ画面は、そのヘルプ画面に対応する操作画面に表示を切り換える切換ボタンを含む。機能説明部７１は、切換ボタンがユーザーにより指示されると、そのヘルプ画面に対応する操作画面を識別するための画面識別情報を表示制御部５７に出力する。
【００５４】
機能検索部７３は、操作受付部５１から入力される操作が、検索キー１６８Ｂが指示されたことを示す画面遷移操作の場合、機能検索画面を表示部１６１に表示する。機能検索画面は、複数の操作画面のうちから１つを抽出するためのキーワードを受け付ける画面であり、キーワードを入力する領域を含む。機能検索部７３は、機能検索画面に従ってユーザーが操作部１６３に入力するキーワードを受け付け、受け付けられたキーワードで、設定値の名称を検索する。そして、機能検索部７３は、キーワードを用いた検索によって抽出される設定値を設定するための操作画面を選択可能な検索結果リストを、表示部１６１に表示する。さらに、機能検索部７３は、検索結果リストのうちから１つの操作画面がユーザーにより選択される場合、選択された操作画面を識別するための画面識別情報を表示制御部５７に出力する。例えば、キーワードに「変更許可レベル」を入力すれば、キーワード「変更許可レベル」を設定値の名称に含む設定値を抽出し、その設定値を設定するための操作画面を選択可能な検索結果リストを、表示部１６１に表示する。その操作画面がユーザーにより選択される場合、機能検索部７３は、設定値「変更許可レベル」を設定するための変更許可レベル設定画面の画面識別情報を表示制御部５７に出力する。
【００５５】
表示制御部５７は、表示部１６１を制御し、表示部１６１に操作画面を表示する。表示制御部５７は、順次表示部６１と、間欠表示部６３と、操作画面抽出部６５と、を含む。
【００５６】
順次表示部６１は、上位の階層の操作画面から順に下位の階層の操作画面を表示する。表示部１６１に表示されている操作画面は、画面遷移ボタンを有する。ユーザーが画面遷移ボタンを指示すれば、操作受付部５１は画面遷移操作を受け付ける。順次表示部６１は、操作受付部５１から入力される操作が、表示部１６１に表示されている操作画面に含まれる画面遷移ボタンが指示されたことにより受け付けられた画面遷移操作の場合、その画面遷移操作によって特定される操作画面を表示部１６１に表示する。
【００５７】
操作画面抽出部６５は、機能説明部７１または機能検索部７３から画面識別情報が入力される。ここで、機能説明部７１または機能検索部７３から入力される画面識別情報で特定される操作画面を、基準画面という。操作画面抽出部６５は、複数の操作画面のうち基準画面が属する系統と同じ系統で上位の階層の１以上の操作画面のうちから、基準画面で設定される設定値と所定の関係にある設定値を設定するための操作画面を抽出し、抽出された操作画面を、間欠表示部６３に出力する。具体的には、操作画面抽出部６５は、基準画面が属する系統の機能に対応する処理を、処理実行部５３が実行するために用いる複数の設定値のうち、基準画面で設定される設定値に対して予め定められていない設定値を設定するための操作画面以外の操作画面を抽出する。
【００５８】
例えば、基準画面が、「変更許可レベル」を設定する変更許可レベル設定画面の場合、基準画面が属する系統の機能は、データを生成する機能である。そして、データを生成する機能の系統で、基準画面である変更許可レベル設定画面より上位の階層の画面は、ファイル形式設定画面、暗号化設定画面、パスワード設定画面、暗号化パスワード設定画面、文書権限パスワード設定画面である。
【００５９】
また、処理実行部５３が、データを生成する機能に対応する処理を実行するために用いる設定値は、ファイル形式、暗号化の有無、暗号化パスワード、文書権限パスワード、変更許可レベルである。変更許可レベルを設定するための条件として、暗号化の有無の設定値は必ず「有」でなければならない。他の設定値であるファイル形式、暗号化パスワード、文書権限パスワードのすべてはユーザーにより設定されていなければならない。
【００６０】
したがって、「変更許可レベル」の設定値を設定するためには、暗号化の有無の設定値は「有」に設定されなければならないので、「変更許可レベル」の設定値に対して暗号化の有無の設定値は「有」に予め定められている。また、「変更許可レベル」の設定値に対して、ファイル形式、暗号化パスワード、文書権限パスワードは、予め定められていない。操作画面抽出部６５は、「変更許可レベル」の設定値に対して予め定められた暗号化の有無の設定値「有」を、設定部５５に出力する。設定部５５は、操作画面抽出部６５から暗号化の有無の設定値「有」が入力されることに応じて、暗号化の有無の設定値を「有」に設定する。
【００６１】
また、操作画面抽出部６５は、「変更許可レベル」の設定値に対して予め定められていない設定値を設定するための操作画面を識別するための画面識別情報および基準画面である変更許可レベル設定画面の画面識別情報を間欠表示部６３に出力する。「変更許可レベル」の設定値に対して予め定められていない設定値は、ファイル形式、暗号化パスワードおよび文書権限パスワードである。ファイル形式を設定するための操作画面はファイル形式設定画面であり、暗号化パスワードを設定するための操作画面は暗号化パスワード設定画面であり、文書権限パスワードを設定するための操作画面は文書権限パスワード設定画面である。
【００６２】
間欠表示部６３は、操作画面抽出部６５からファイル形式設定画面、暗号化パスワード設定画面、文書権限パスワード設定画面および変更許可レベル設定画面それぞれの画面識別情報が入力される。間欠表示部６３は、ファイル形式設定画面、暗号化パスワード設定画面、文書権限パスワード設定画面および変更許可レベル設定画面を、上位の階層に属する操作画面から順に表示部１６１に表示する。ここでは、ファイル形式設定画面、暗号化パスワード設定画面、文書権限パスワード設定画面、変更許可レベル設定画面の順に表示する。具体的には、間欠表示部６３は、ファイル形式設定画面においてファイル形式がＰＤＦまたはコンパクトＰＤＦがユーザーにより指定されることに応じて、下位の階層の暗号化パスワード設定画面を表示する。また、間欠表示部６３は、暗号化パスワード設定画面を表示した後、暗号化パスワードがユーザーにより入力されることに応じて、文書権限パスワード設定画面を表示部１６１に表示する。なお、暗号化パスワード設定画面と、文書権限パスワード設定画面とは同じ階層に属するので、文書権限パスワード設定画面を表示した後に、暗号化パスワード設定画面を表示するようにしてもよい。さらに、間欠表示部６３は、文書権限パスワード設定画面を表示した後、文書権限パスワードがユーザーにより入力されることに応じて、下位の階層の変更許可レベル設定画面を表示部１６１に表示する。したがって、順次表示部６１において、ファイル形式設定画面、暗号化設定画面、パスワード設定画面、暗号化パスワード設定画面、文書権限パスワード設定画面、変更許可レベル設定画面の順に表示されていたものを、間欠表示部６３は、ファイル形式設定画面、暗号化パスワード設定画面、文書権限パスワード設定画面、変更許可レベル設定画面の順に表示する。このため、間欠表示部６３は、暗号化設定画面およびパスワード設定画面を表示しないので、入力を簡易にすることができる。
【００６３】
図１３は、操作画面表示処理の流れの一例を示すフローチャートである。操作画面表示処理は、ＭＦＰ１００が備えるＣＰＵ１１１がＲＯＭ１１３、ＨＤＤ１１６またはＣＤ−ＲＯＭ１１９Ａに記憶された操作画面表示プログラムを実行することによりＣＰＵ１１１により実行される処理である。図１３を参照して、ＣＰＵ１１１は、メニュー画面を表示部１６１に表示する。メニュー画面は、ＭＦＰ１００がＨＤＤ１１５に記憶する複数の操作画面のうちデフォルトで定められた画面であり、複数の操作画面のうちで、最も上位の階層に配置される画面である。メニュー画面は、１つ下位の階層に配置された１以上の操作画面と関連付けられており、関連付けられた１以上の操作画面に遷移する指示を受け付ける遷移ボタンを含む。
【００６４】
次のステッテＳ０２においては、ユーザーが操作部１６３に入力する操作を受け付けたか否かを判断する。ユーザーによる操作を受け付けるまで待機状態となり、ユーザーによる操作を受け付けたならば処理をステップＳ０３に進める。ステップＳ０３においては、受け付けられた操作の種類により処理を分岐する。受け付けられた操作が画面遷移操作ならば処理をステップＳ０４に進め、実行指示操作ならば処理をステップＳ１９に進め、設定操作ならば処理をステップＳ２０に進める。ステップＳ２０においては、ステップＳ０３において受け付けられた設定操作により特定される設定値を設定し、処理をステップＳ０２に戻す。ステップＳ１９においては、ステップＳ２０により設定された設定値に基づいて、ステップＳ０３において受け付けられた実行指示操作により特定される処理を実行し、処理をステップＳ０１に戻す。
【００６５】
ステップＳ０４においては、画面遷移操作がハードキー部１６７の備えるヘルプキー１６８Ａを指示する操作か否かを判断する。ヘルプキー１６８Ａを指示する操作ならば処理をステップＳ０５に進めるが、そうでなければ処理をステップＳ１０に進める。
【００６６】
ステップＳ０５においてはヘルプ画面を表示部１６１に表示し、処理をステップＳ０６に進める。ヘルプ画面は、ヘルプキー１６８Ａが操作された時点で、表示部１６１に表示されている操作画面に対応する。そして、ヘルプ画面遷移操作を受け付けたか否かを判断する（ステップＳ０６）。ヘルプ画面は、複数の階層のいずれかに配置される。また、ヘルプ画面は、遷移ボタンを有し、下位の階層のヘルプ画面に関連付けられている。このため、ヘルプ画面に含まれる遷移ボタンが指示される操作を、ヘルプ画面遷移操作として受け付ける。ヘルプ画面遷移操作を受け付けたならば処理をステップＳ０７に進めるが、そうでなければ処理をステップＳ０８に進める。ステップＳ０７においては、ステップＳ０６において受け付けられたヘルプ画面遷移操作により特定されるヘルプ画面を特定し、処理をステップＳ０５に戻す。ステップＳ０５においては、ステップＳ０４において特定されたヘルプ画面を表示部１６１に表示し、処理をステップＳ０６に進める。
【００６７】
ステップＳ０８においては、操作画面切換操作を受け付けたか否かを判断する。ヘルプ画面は、そのヘルプ画面に対応する操作画面に表示を切り換える切換ボタンを含む。このため、ヘルプ画面に含まれ切換ボタンが指示される操作を、操作画面切換操作として受け付ける。操作画面切換操作を受け付けたならば処理をステップＳ０９に進めるが、そうでなければ処理をステップＳ０６に戻す。ステップＳ０９においては、基準画面を特定し、処理をステップＳ１６に進める。基準画面は、操作画面切換操作により特定される切換ボタンに関連付けられた操作画面である。ステップＳ１６においては、間欠表示処理を実行し、処理をステップＳ０２に戻す。間欠表示処理の詳細は、後述する。
【００６８】
一方、ステップＳ１０においては、ステップＳ０３において受け付けられた画面遷移操作がハードキー部１６７の備える検索キー１６８Ｂを指示する操作か否かを判断する。検索キー１６８Ｂを指示する操作ならば処理をステップＳ１１に進めるが、そうでなければ処理をステップＳ１７に進める。ステップＳ１１においては、機能検索画面を表示部１６１に表示し、処理をステップＳ１２に進める。機能検索画面は、複数の操作画面のうちから１つを抽出するためのキーワードを受け付ける画面であり、キーワードを入力する領域を含む。
【００６９】
ステップＳ１２においては、キーワードを受け付ける。ユーザーが操作部１６３に入力するキーワードを受け付ける。そして、キーワードに基づいて複数の操作画面を検索する（ステップＳ１３）。具体的には、キーワードで、設定値の名称を検索し、キーワードを用いた検索によって抽出される設定値を設定するための操作画面の画面識別情報を選択可能な検索結果リストを、表示部１６１に表示する。
【００７０】
そして、操作画面を選択する指示を受け付けるまで待機状態となり（ステップＳ１４でＮＯ）、操作画面を選択する指示を受け付けると（ステップＳ１４でＹＥＳ）、処理をステップＳ１５に進める。検索結果リストに選択可能な状態で含まれる画面識別情報を選択する指示を受け付けたか否かを判断する。ステップＳ１５においては、ユーザーにより指示された画面識別情報で特定される操作画面を基準画面に特定し、処理をステップＳ１６に進める。ステップＳ１６において、間欠表示処理を実行し、処理をステップＳ０２に戻す。
【００７１】
ステップＳ１７においては、ステップＳ０３において受け付けられた画面遷移操作に基づいて、操作画面を特定する。処理がステップＳ１７に進む場合は、例えば、操作画面に含まれる遷移ボタンがユーザーにより指示される場合である。ユーザーにより指示された遷移ボタンに関連付けられた操作画面を特定する。次のステップＳ１８においては、特定された操作画面を表示部１６１に表示し、処理をステップＳ０２に戻す。
【００７２】
図１４は、間欠表示処理の流れの一例を示すフローチャートである。間欠表示処理は、図１３のステップＳ１６において実行される処理である。間欠表示処理が実行される前の段階で、基準画面が特定されている。図１４を参照して、ＣＰＵ１１１は、基準画面と同一系統で上位の階層の操作画面の全てを抽出する（ステップＳ２１）。例えば、基準画面が、「変更許可レベル」を設定する変更許可レベル設定画面の場合、基準画面が属する系統の機能は、データを生成する機能である。そして、データを生成する機能の系統で、基準画面である変更許可レベル設定画面より上位の階層の画面は、ファイル形式設定画面、暗号化設定画面、パスワード設定画面、暗号化パスワード設定画面、文書権限パスワード設定画面なので、それらの全てを抽出する。
【００７３】
次のステップＳ２２においては、基準画面の設定値に対して決定済の設定値を特定する。データを生成する機能に対応する処理を実行するために用いる設定値は、ファイル形式、暗号化の有無、暗号化パスワード、文書権限パスワード、変更許可レベルである。変更許可レベルを設定するための条件として、暗号化の有無の設定値は必ず「有」でなければならず、決定されている。他の設定値であるファイル形式、暗号化パスワード、文書権限パスワードのすべてはユーザーにより設定されていなければならない。この場合には、暗号化の有無の設定値は必ず「有」が特定される。次のステップＳ２３においては、決定済の設定値を設定し（ステップＳ２３）、処理をステップＳ２４に進める。
【００７４】
ステップＳ２４においては、基準画面の設定値に対して未決定の設定値に対応する操作画面を抽出する。ここでは、「変更許可レベル」の設定値に対して、ファイル形式、暗号化パスワード、文書権限パスワードは、予め定められていない設定値なので、それらが未決定の設定値である。したがって、ファイル形式を設定するためのファイル形式設定画面と、暗号化パスワードを設定するための暗号化パスワード設定画面と、文書権限パスワードを設定するための文書権限パスワード設定画面と、を抽出する。次のステップＳ２５においては、ステップＳ２４において抽出された複数の操作画面のうちから最上位の階層の操作画面を選択し、処理をステップＳ２６に進める。
【００７５】
ステップＳ２６においては、選択された操作画面を表示部１６１に表示し、処理をステップＳ２７に進める。ステップＳ２７においては、設定値を受け付けたか否かを判断する。ユーザーが表示部１６１に表示された操作画面に従って操作部１６３に入力する設定値を受け付ける。設定値を受け付けるまで待機状態となり、設定値を受け付けたならば処理をステップＳ２８に進める。ステップＳ２８においては、受け付けられた設定値を設定し、処理をステップＳ２９に進める。
【００７６】
ステップＳ２９においては、ステップＳ２４において抽出された複数の操作画面のうちで、処理対象に選択されていない操作画面が存在するか否かを判断する。未処理の操作画面が存在するならば処理をステップＳ３０に進めるが、存在しなければ処理を操作画面表示処理に戻す。ステップＳ３０においては、ステップＳ２４において抽出された複数の操作画面のうちから、表示部１６１に表示されている操作画面より下位の階層であって最も上位の階層の操作画面を選択し、処理をステップＳ２６に戻す。
【００７７】
以上説明したように、本実施の形態におけるＭＦＰ１００は、画像処理装置として機能し、ユーザーの操作に基づいて、ＭＦＰ１００が記憶する複数の操作画面のいずれか１つが基準画面として抽出されると、基準画面が属する系統と同じ系統で上位の階層の１以上の操作画面のうちから、基準画面で設定される設定値と所定の関係にある設定値を設定するための操作画面が抽出され、抽出された１以上の操作画面が上位の階層の操作画面から順に表示される。例えば、画像データ生成機能に対して、第１階層にファイル形式設定画面、第２階層に暗号化設定画面、第３階層にパスワード設定画面、第４階層に暗号化パスワード設定画面および文書権限パスワード設定画面、第５階層に変更許可レベル設定画面がある。ユーザーにより変更許可レベル設定画面が基準画面に指定されると、変更許可レベルの設定値に対して予め定められていないファイル形式、暗号化パスワードおよび文書権限パスワードそれぞれを設定するためのファイル形式設定画面、暗号化パスワード設定画面および文書権限パスワード設定画面が順に表示される。暗号化設定画面およびパスワード設定画面は、表示されない。このため、表示する操作画面の数を少なくすることができる。
【００７８】
また、変更許可レベルの設定値に対して暗号化の有無の設定値は「有」に予め定められている。このため、ＭＦＰ１００は、ユーザーが変更許可レベル設定画面を基準画面に指定すれば、暗号化の有無の設定値は「有」に設定する。このため、変更許可レベル設定画面を基準画面に指定する場合は、暗号化の有無の設定値を「有」に設定する必要がない。
【００７９】
また、ＭＦＰ１００は、ヘルプ画面を表示し、ユーザーがヘルプ画面に含まれ切換ボタンを指示する操作画面切換操作を受け付けると、切換ボタンに対応する操作画面を基準画面として抽出する。このため、ヘルプ画面から複数の操作画面のうち下位の階層の操作画面を基準画面に指定することができる。
【００８０】
さらに、ＭＦＰ１００は、キーワードを受け付ける機能検索画面を表示部１６１に表示し、ユーザーにより入力されたキーワードで、設定値の名称を検索することによって、抽出される設定値を設定するための操作画面を選択可能な検索結果リストを、表示部１６１に表示する。さらに、検索結果リストのうちから１つの操作画面がユーザーにより選択される場合、選択された操作画面を基準画面として抽出する。このため、ユーザーは、キーワードを用いて複数の操作画面のうちから１つを基準画面に指定することができる。
【００８１】
なお、上述した実施の形態においては、画像処理装置の一例としてＭＦＰ１００を例に説明したが、図１３および図１４に示した操作画面表示処理をＭＦＰ１００に実行させる操作画面表示方法、その操作画面表示方法をＭＦＰ１００を制御するＣＰＵ１１１に実行させる操作画面表示プログラムとして発明を捉えることができるのは言うまでもない。
【００８２】
また、図４においては、ＣＰＵ１１１が有する機能を説明したが、これらの機能をスイッチ回路などのハードウエアで実現するようにしてもよい。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１００  ＭＦＰ、５１  操作受付部、５３  処理実行部、５５  設定部、５７  表示制御部、５９  検索部、６１  順次表示部、６３  間欠表示部、６５  操作画面抽出部、７１  機能説明部、７３  機能検索部、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部。
【図１】
0006287632.tif 000002
【図２】
0006287632.tif 000003
【図３】
0006287632.tif 000004
【図４】
0006287632.tif 000005
【図５】
0006287632.tif 000006
【図６】
0006287632.tif 000007
【図７】
0006287632.tif 000008
【図８】
0006287632.tif 000009
【図９】
0006287632.tif 000010
【図１０】
0006287632.tif 000011
【図１１】
0006287632.tif 000012
【図１２】
0006287632.tif 000013
【図１３】
0006287632.tif 000014
【図１４】
0006287632.tif 000015